(57)【特許請求の範囲】
【請求項１】
画データの送信先が、中継メールサーバを経由せずに電子メールを送信することができる送信先であり、且つ、メールサーバ機能を備えたインターネットファクシミリ装置であるか否かを判断し、
送信先が中継メールサーバを経由せずに電子メールを送信することができる送信先であり且つメールサーバ機能を備えたインターネットファクシミリ装置である場合、複数頁からなる送信すべき原稿の画データを原稿の頁毎に生成し、原稿の頁毎に生成した各画データを夫々１の電子メールの添付ファイルとして原稿の全頁の画データを１の電子メール転送プロトコルのセッション内で送信し、
送信先が中継メールサーバを経由せずに電子メールを送信することができる送信先でない場合又はメールサーバ機能を備えたインターネットファクシミリ装置でない場合、複数頁からなる送信すべき原稿の全頁を１の画像ファイルとして生成し、該画像ファイルを電子メールの添付ファイルとして送信することを特徴とするインターネットファクシミリ通信方法。
【請求項２】
画データの送信先が、中継メールサーバを経由せずに電子メールを送信することができる送信先であり且つメールサーバ機能を備えたインターネットファクシミリ装置であるか否かを判断する手段と、
送信先が中継メールサーバを経由せずに電子メールを送信することができる送信先であり且つメールサーバ機能を備えたインターネットファクシミリ装置である場合、複数頁からなる送信すべき原稿の画データを原稿の頁毎に生成し、原稿の頁毎に生成した各画データを夫々１の電子メールの添付ファイルとして原稿の全頁の画データを１の電子メール転送プロトコルのセッション内で送信する手段と、
送信先が中継メールサーバを経由せずに電子メールを送信することができる送信先でない場合又はメールサーバ機能を備えたインターネットファクシミリ装置でない場合、複数頁からなる送信すべき原稿の全頁を１の画像ファイルとして生成し、該画像ファイルを電子メールの添付ファイルとして送信する手段と、を備えたことを特徴とするインターネットファクシミリ装置。
【発明の詳細な説明】
【０００１】
【発明の属する技術分野】
本発明は、電子メールにて画データの送受信を行うインターネットファクシミリ装置、及びインターネットファクシミリ通信方法に関する。
【０００２】
【従来の技術】
近年、電子メールにて原稿等の画データの送受信を行うインターネットファクシミリ装置が普及している。この装置によって、複数頁の原稿が電子メールにて送信されるとき、原稿読取部から読み込まれた原稿の全頁が１つの画像ファイルとして生成され、この１の画像ファイルが電子メールに添付されて送信される。
【０００３】
【発明が解決しようとする課題】
ところが、かかる電子メールの添付ファイルは、情報量が多く、送信又は受信するために、一定の時間を要し、原稿が１００、２００頁から構成される場合など、送信頁が多い場合には、長時間を要する。また、受信側のインターネットファクシミリ装置においては、受信した後に符号化された添付ファイルを復号し、さらに、頁ごとに分割処理などを行う必要があり、受信した画データの印刷、配信等の処理を完了するに至るまでにさらに時間を要する。
【０００４】
本発明は、かかる課題に鑑みてなされたものであり、送信側インターネットファクシミリ装置において、送信すべき原稿の読み込みが開始されてから、受信側端末において前記原稿の画データが受信されて画データの印刷配信等の処理が完了するまでの時間を短縮するインターネットファクシミリ通信方法、及びインターネットファクシミリ装置を提供することを目的とする。
【０００８】
【課題を解決するための手段】
請求項１記載のインターネットファクシミリ通信方法は、画データの送信先が、中継メールサーバを経由せずに電子メールを送信することができる送信先であり、且つ、メールサーバ機能を備えたインターネットファクシミリ装置であるか否かを判断し、送信先が中継メールサーバを経由せずに電子メールを送信することができる送信先であり且つメールサーバ機能を備えたインターネットファクシミリ装置である場合、複数頁からなる送信すべき原稿の画データを原稿の頁毎に生成し、原稿の頁毎に生成した各画データを夫々１の電子メールの添付ファイルとして原稿の全頁の画データを１の電子メール転送プロトコルのセッション内で送信し、送信先が中継メールサーバを経由せずに電子メールを送信することができる送信先でない場合又はメールサーバ機能を備えたインターネットファクシミリ装置でない場合、複数頁からなる送信すべき原稿の全頁を１の画像ファイルとして生成し、該画像ファイルを電子メールの添付ファイルとして送信することを特徴としている。
【００１４】
請求項２記載のインターネットファクシミリ装置は、画データの送信先が、中継メールサーバを経由せずに電子メールを送信することができる送信先であり且つメールサーバ機能を備えたインターネットファクシミリ装置であるか否かを判断する手段と、送信先が中継メールサーバを経由せずに電子メールを送信することができる送信先であり且つメールサーバ機能を備えたインターネットファクシミリ装置である場合、複数頁からなる送信すべき原稿の画データを原稿の頁毎に生成し、原稿の頁毎に生成した各画データを夫々１の電子メールの添付ファイルとして原稿の全頁の画データを１の電子メール転送プロトコルのセッション内で送信する手段と、送信先が中継メールサーバを経由せずに電子メールを送信することができる送信先でない場合又はメールサーバ機能を備えたインターネットファクシミリ装置でない場合、複数頁からなる送信すべき原稿の全頁を１の画像ファイルとして生成し、該画像ファイルを電子メールの添付ファイルとして送信する手段と、を備えたことを特徴としている。
【００１５】
【発明の実施の形態】
以下、本発明の第１の実施の形態に係るインターネットファクシミリ通信方法及び該通信方法を実施するインターネットファクシミリ装置について、図面に基づき説明する。
【００１６】
図１に前記インターネットファクシミリ装置１の具体的な構成例を示す。前記インターネットファクシミリ装置１は、ＣＰＵ（中央処理装置）２、ＲＡＭ（ランダムアクセスメモリー）３、ＲＯＭ（リードオンリーメモリー）４、コーデック５、モデム６、ＮＣＵ（ネットワークコントロールユニット）７、読取部８、記録部９、操作部１０及びＬＡＮＩ／Ｆ（ローカルエリアネットワーク・インターフェース）１１を備えたものであって、各装置２乃至１１は、通信可能にバス１２によって接続されている。
【００１７】
前記ＣＰＵ２は、所定のプログラムに従って、このインターネットファクシミリ装置１を構成する各装置を制御する。
【００１８】
前記ＲＡＭ３は、画データ、ＦＡＸ番号、メールアドレス等を予め記憶するための記憶部として、或いは一時的に蓄積される諸データ等の記憶部として機能する。
【００１９】
前記ＲＯＭ４は、前記ＣＰＵ２によりこのインターネットファクシミリ装置１の各部の動作が制御されるための各種プログラムを記憶している。
【００２０】
前記コーデック５は、複数のプロトコルに対応して符号化（エンコード）・復号（デコード）するものである。すなわち、前記読取部８にて読み取られた画データ等を送信のためにＭＨ、ＭＲ、ＭＭＲ方式等により符号化し、受信した画データを復号する。また、コンピュータで使用される一般的に使われている画像フォーマットであるＴＩＦＦ（Tagged  Image  File  Format）形式にも対応して符号化、復号することもできる。なお、ＴＩＦＦの仕様は、米国Adobe  System社によって公開されており、名称の通り、ファイル内のデータ・ブロックにタグを使用してデータを表現され、タグを使用することにより解像度や色数の異なる複数の画データを同時に格納することができる。
【００２１】
前記モデム６は、例えばＩＴＵ−Ｔ（国際電気通信連合）の勧告Ｖ．３４規格又はこれと同様のものに従った送受信データの変調及び復調を行う。
【００２２】
前記ＮＣＵ７は、電話回線を制御して電話をかけたり、電話を切ったりする回線網制御装置であり、ＰＳＴＮ（公衆交換電話網）１３に接続されている。
【００２３】
前記読取部８は、原稿の画像データを読み取って、白黒２値に変換した画データを出力する。
【００２４】
前記記録部９は、例えば電子写真方式のものからなり、受信した画データを記録紙上に画像形成し、該記録紙を排出（プリントアウト）する。例えば、前記読取部８で読み取られた原稿の画データ、ファクシミリ受信した画データ、インターネットファクシミリ受信した添付ファイルの画データや本文のテキストデータ等を前記ＣＰＵ２の指示により、プリントアウトする。
【００２５】
前記操作部１０は、例えば、このインターネットファクシミリ装置１の状態に関する情報及び各種操作指示画面を表示するディスプレイ１０ａ、ＦＡＸ番号等を入力するためのテンキー１０ｂ、短縮番号から発信するための短縮キー１０ｃ、原稿の読取り動作の開始等を行うためのスタートキー１０ｄ、前記ディスプレイ１０ａ内の反転表示を移動させるためのカーソルキー１０ｅ等を備えており、各種操作はこの操作部１０により行われる。
【００２６】
前記ＬＡＮＩ／Ｆ１１は、ＬＡＮ（ローカルエリアネットワーク）１４とのインターフェイスを備えており、このＬＡＮ１４とインターネットファクシミリ装置１とを通信可能に接続している。
【００２７】
前記インターネットファクシミリ装置１は、Ｇ３方式等によって原稿等の画データをファクシミリ送受信する機能を備えるほか、ＴＣＰ／ＩＰ（Transmission Control Protocol/Internet Protocol）を実装し、原稿等の画データを電子メールの添付ファイルとすることにより、その画データを電子メールの本文と共に送受信するインターネットファクシミリ機能を備えている。さらに、ＳＭＴＰ（Simple Mail Transfer Protocol）サーバ（換言すれば、メールサーバ）としての機能をも備え、少なくとも他のＳＭＴＰサーバ等とＳＭＴＰ接続を確立してその接続上で、ＳＭＴＰコマンドやデータを送受信することができる。なお、ＳＭＴＰとは、一般的に電子メールの転送に利用されている電子メール転送プロトコルであり、ＲＦＣ（Request for Comments）821、822に定義されているプロトコルである。
【００２８】
また、前記インターネットファクシミリ装置１のＲＡＭ３の所定の記憶領域には、図６に示すデータテーブル２２が記憶されている。このデータテーブル２２は、各「短縮番号」に「相手先名」、「宛先」及び「属性」についての情報を格納したものである。例えば、短縮番号「００１」を送信先として指定すると、前記送信側インターネットファクシミリ装置１は、「YOU@tmB.NET」を送信先として指定すると共に、その送信先の端末が「ＳＭＴＰサーバ機能付インターネットファクシミリ装置、中継メールサーバなし」という属性情報、つまり、ＳＭＴＰサーバ機能を備えたインターネットファクシミリ装置であり、該装置への電子メールの送信に際しては中継メールサーバを経由しないで直接ＳＭＴＰにて電子メールをやりとりすることが可能であるという情報をも同時に取得する。短縮番号「００２」の「属性」欄に示された「ＳＭＴＰサーバ機能付メールクライアント、中継メールサーバなし」は、ＳＭＴＰサーバ機能を備えたＰＣであり、該装置への電子メールの送信に際しては中継メールサーバを経由しないで直接ＳＭＴＰにて電子メールをやりとりすることが可能であることを示す。短縮番号「００３」又は「００５」の「属性」欄に示された「メールクライアント、中継メールサーバあり」は、メールサーバ配下のメールクライアント端末であり、該装置への電子メールの送信に際しては、少なくともそのメールサーバを経由して送信されることを示す。短縮番号「００４」の「属性」欄に示された「ＳＭＴＰサーバ機能付インターネットファクシミリ装置、中継メールサーバあり」は、ＳＭＴＰサーバ機能を備えたインターネットファクシミリ装置ではあるが、該装置への電子メールの送信に際しては、中継メールサーバを経由することを示す。
【００２９】
以下、前記インターネットファクシミリ装置１が、例えば、図２に示すネットワーク環境Ａに設置されて複数頁からなる原稿を電子メールにて送信する場合の動作、及びこの電子メールを受信する他のインターネットファクシミリ装置１Ａの動作について、フローチャート及びシーケンス図に基づいて説明する。なお、前記他のインターネットファクシミリ装置１Ａ（以下、「受信側インターネットファクシミリ装置１Ａ」という。）は前記インターネットファクシミリ装置１（以下、「送信側インターネットファクシミリ装置１」という。）と同様に、図１に示したハードウエア構成及び前記したＳＭＴＰサーバ機能を備えている。図３のフローチャートに基づき送信側インターネットファクシミリ装置１の動作について、図４のフローチャートに基づき受信側インターネットファクシミリ装置１Ａの動作について、図５のシーケンス図に基づき、送信側インターネットファクシミリ装置１と受信側インターネットファクシミリ装置１Ａの間で形成されるＳＭＴＰセッションについて説明する。ここで、フローチャートに基づき説明する各種動作は、各々のＲＯＭ４に記憶されている制御プログラム等に基づいてＣＰＵ２の発行する命令に従って行われる。
【００３０】
図２に示す、ネットワーク環境Ａにおいて、前記送信側インターネットファクシミリ装置１は、ＬＡＮ１４を通じて、メールサーバ１５、クライアントＰＣ１６、ＳＭＴＰサーバ機能を備えたＰＣ１７、前記受信側インターネットファクシミリ装置１Ａ、ルータ１８等と相互に通信可能に接続されている。また、前記送信側インターネットファクシミリ装置１は、インターネットを通じて他のＬＡＮ１４Ａに接続されたメールサーバ１９、該メールサーバ配下のメールクライアントＰＣ２０及び他のインターネットファクシミリ装置１Ｂと電子メールにて画データの送受信を行うことが可能である。また、ＰＳＴＮ（公衆交換電話網）１３を通じて他のＧ３ＦＡＸ端末２１とＧ３形式の画データを送受信することも可能である。
【００３１】
また、前記ネットワーク環境Ａに示した端末のうち前記データテーブル２２に記憶されている「宛先」として、例えば、前記受信側インターネットファクシミリ装置１Ａが短縮番号「００１」に、前記ＰＣ１７が短縮番号「００２」に、前記クライアントＰＣ１６のうちの１つが短縮番号「００３」に、前記他のインターネットファクシミリ装置１Ｂが短縮番号「００４」に、前記メールクライアントＰＣ２０が短縮番号「００５」に登録されているものとする。
【００３２】
まず、オペレータ等によって、前記読取部８に複数頁からなる原稿がセットされ、送信宛先を指定するために前記短縮キー１０ｃが押下されると、送信側インターネットファクシミリ装置１は、押下された短縮番号に割り当てられた送信宛先を前記データテーブル２２に基づき指定する（Ｓ１）。つぎに、オペレータ等によるスタートキー１０ｄの押下等によって送信開始の指示を受け付けたときは（Ｓ２）、直接の送信先（通信相手）が最終送信先、つまり、中継メールサーバを経由することなく電子メールを送信できる送信先であるか否かの判断、及びその送信先がＳＭＴＰサーバ機能を備えたインターネットファクシミリ装置であるか否かの判断を前記データテーブル２２に基づき行う（Ｓ３、Ｓ４）。
【００３３】
例えば、前記Ｓ１において、短縮番号「００１」が指定されていた場合は、送信側インターネットファクシミリ装置１は、前記データテーブル２２に基づき、「YOU@tmB.NET」を宛先として指定し、「属性」欄の「ＳＭＴＰサーバ機能付インターネットファクシミリ装置、中継メールサーバなし」から送信先は中継メールサーバを経由することなく電子メールを送信できる送信先であるとして判断し（Ｓ３）、さらに、その送信先の装置がＳＭＴＰサーバ機能を備えたインターネットファクシミリ装置であるとして判断すると（Ｓ４）、送信側インターネットファクシミリ装置１は、送信すべき原稿を読み込んで、電子メール添付可能なＴＩＦＦ形式等にて原稿の頁毎に画データを生成し、原稿の頁毎に生成した画データを１の電子メールの添付ファイルとして順次送信する（Ｓ５）。このように、読み込んた原稿の頁から順次画データを生成して電子メールに添付して送信するため、原稿の全頁を読み取ってから全頁の画データを１の添付ファイルとして電子メールで送信する場合と比べて、原稿の読み取り開始から送信完了までの時間が大幅に短縮される。
【００３４】
一方、前記Ｓ１において、短縮番号「００２」が指定されていた場合は、「123@def.co.jp」を宛先として指定し、「属性」欄の「ＳＭＴＰ機能付ＰＣ、中継メールサーバなし」から送信先は中継メールサーバを経由することなく電子メールを送信できる送信先であるとして判断し（Ｓ３）、その送信先の装置がインターネットファクシミリ装置ではないとして判断して（Ｓ４）、ステップ６（Ｓ６）へ移行する。短縮番号「００３」が指定された場合は、「456@deg.co.jp」を宛先として指定し、「属性」欄の「メールクライアント、中継メールサーバなし」から送信先は中継メールサーバを経由して電子メールを受信するものであるとして判断し（Ｓ３）、ステップ６（Ｓ６）へ移行する。短縮番号「００４」が指定された場合は、「属性」欄の「ＳＭＴＰサーバ機能付インターネットファクシミリ装置、中継メールサーバあり」から送信先は中継メールサーバを経由して電子メールを受信するものであるとして判断し（Ｓ３）、ステップ６（Ｓ６）へ移行する。短縮番号「００５」が指定された場合は、短縮番号「００３」が指定された場合と同様である。
【００３５】
前記Ｓ６において、送信側インターネットファクシミリ装置１は、原稿の全頁を電子メールに添付可能な１のＴＩＦＦファイルとして生成し、該ＴＩＦＦファイルを電子メールの添付ファイルとして送信する（Ｓ６）。
【００３６】
つぎに、送信側インターネットファクシミリ装置１が受信側インターネットファクシミリ装置１Ａに対して原稿を送信する場合の前記Ｓ５における動作を、図５に示すシーケンス図に基づき、さらに説明する。このシーケンス図に示すように、ＴＣＰ接続が確立されてから切断されるまで、１のＳＭＴＰセッション内で原稿の全頁の画データが各々別個の電子メールにて送信される。
【００３７】
まず、送信側インターネットファクシミリ装置１は、受信側インターネットファクシミリ装置１Ａに対してＴＣＰ接続を要求し、受信側インターネットファクシミリ装置１Ａがこれを了承する旨を示すＳＭＴＰ応答コード「２２０」を返して、これら装置１、1Ａの間にＴＣＰ接続が確立される（Ｔ１、Ｔ２）。
【００３８】
つぎに、送信側インターネットファクシミリ装置１は、受信側インターネットファクシミリ装置１Ａに対し、自身をＳＭＴＰコマンド「ＨＥＬＯ  ｔｍＡ．ＮＥＴ」にて特定する。この場合、パラメータである「ｔｍＡ．ＮＥＴ」が送信側インターネットファクシミリ装置１のドメイン名として特定される。これに対して受信側インターネットファクシミリ装置１Ａは、ＳＭＴＰ応答コード「２５０」を返すと共に、自身のドメイン名である「ｔｍ．Ｂ．ＮＥＴ」をパラメータとして特定する（Ｔ３、Ｔ４）。このＳＭＴＰ応答コード「２５０」は、要求されたＳＭＴＰコマンドの処理が完了した旨を示す応答でコードである。
【００３９】
つぎに、送信側インターネットファクシミリ装置１は、ＳＭＴＰコマンド「ＭＡＩＬ  ＦＲＯＭ：＜ＭＥ＠ｔｍＡ．ＮＥＴ＞」にて、自身のメールアドレス「ＭＥ＠ｔｍＡ．ＮＥＴ」を特定すると共に（Ｔ５）、ＳＭＴＰコマンド「ＲＣＰＴ  ＴＯ：＜ＹＯＵ＠ｔｍＢ．ＮＥＴ＞」にて受信者（送信先）を指定した後（Ｔ７）、ＳＭＴＰコマンド「ＤＡＴＡ」にて電子メールに添付された原稿の第１頁に相当する画データの送信を指定し、ＳＭＴＰ応答コード「３５４ end with <CRLF>.<CRLF>」を受信してからその画データの送信を行う（Ｔ９乃至Ｔ１１）。そして、ピリオドだけを含む行「<CRLF>.<CRLF>」（「CRLF」は改行を示す。）を送信することでその画データの送信の終了を指定する（Ｔ１２）。さらに、前記Ｔ５乃至Ｔ１３の動作を繰返して、最終頁に至るまで各頁の画データは各々別個の電子メールに添付されて送信される（Ｔ１４乃至Ｔ２１、Ｔ２３乃至Ｔ３０等）。
【００４０】
このように、送信側インターネットファクシミリ装置１から送信された画データを受信する受信側インターネットファクシミリ装置１Ａにおいては、各電子メールに添付された各頁の画データの受信が完了した時点、つまり、前記Ｔ１２、Ｔ２１、Ｔ３０等の後に、受信した頁の画データの印刷等の出力処理を行う。すなわち、前記受信側インターネットファクシミリ装置１Ａは、画データを受信する毎に（Ｓ１１）受信した画データの印刷ジョブをただちに発生させ（Ｓ１２）、順次記録部９にて印刷等を行う。
【００４１】
このように前記受信側インターネットファクシミリ装置１Ａは、受信した頁の画データから順次印刷ジョブを発生させて印刷するため、原稿の全頁の画データを完全に受信してから印刷を開始する場合と比較して受信開始から全頁印刷完了までの時間が大幅に短縮される。また、かかる利点が得られるのは、印刷処理のみに限られず、その他の出力処理でも同様である。例えば、印刷処理の代わりに受信側インターネットファクシミリ装置１Ａが転送（配信）処理を行う場合、受信した画データから順次転送させるようにすれば、受信開始から全頁転送完了までの時間が大幅に短縮される。
【００４２】
前記送信側インターネットファクシミリ装置１が原稿の頁毎に生成した電子メールを全て送信し、受信側インターネットファクシミリ装置１Ａがこれら全てを受信した後は、受信側インターネットファクシミリ装置１Ａは、受信した画データ全てのプリントアウトが完了した時点で、或いは、最終頁の画データの印刷ジョブを発生させた時から一定時間が経過した時点で送信側インターネットファクシミリ装置１から受信した画データの処理結果を送信側インターネットファクシミリ装置１へ電子メールにて返信するようになっている。
【００４３】
このときの受信側インターネットファクシミリ装置１Ａの動作及び既に前述した動作をまとめて、図４に示すフローチャート及び図７に示すシーケンス図に基づき説明する。なお、図７に示したシーケンス図の動作（Ｔ１乃至Ｔ３３）は、図５に示したシーケンス図の動作（Ｔ１乃至Ｔ３３）に相当する。
【００４４】
まず、受信側インターネットファクシミリ装置１Ａが電子メールに添付された第１頁の画データが添付された電子メールを受信すると（Ｓ１１、Ｔ５乃至Ｔ１２）、受信した第１頁の画データの印刷ジョブを発生させる（Ｓ１２）。つぎに、同一ＳＭＴＰセッション内に他の電子メールがある場合は、同様に前記Ｓ１１、Ｓ１２の動作を繰り返し、各電子メールを受信する毎に電子メールに添付された画データの印刷ジョブを発生させる。
【００４５】
つぎに、送信側インターネットファクシミリ装置１から、ＴＣＰ接続の切断を指定するＳＭＴＰコマンド「ＱＵＩＴ」を受信することにより、同一ＳＭＴＰセッション内に他の電子メールがないと判断し（Ｓ１３、Ｔ３２）、つぎに、受信した画データの全頁について印刷処理が終了しているか否かを判断し（Ｓ１４）、印刷処理が終了している場合は、頁毎の印刷処理結果の内容を電子メール本文等に記述した電子メールを生成し（Ｓ１５）、送信側インターネットファクシミリ装置１へ返信する（Ｓ１６、Ｔ３８乃至Ｔ４５）。印刷処理結果の内容として電子メール本文等に記述される情報として、例えば、正常に印刷が完了した場合は、電子メール本文に「印刷ＯＫ」と記述され、記録紙が切れのため印刷できなかった場合は、「用紙切れのため用紙の補充待ち」と記述される。
【００４６】
前記Ｓ１４において、印刷処理が終了していない場合は、例えば前記Ｓ１３の判断を行ってから一定時間が経過しているか否かの判断を行い（Ｓ１７）、経過していない場合は前記Ｓ１４に移行し、経過している場合は、例えばエラーコード等を電子メール本文等に記述した電子メールを生成し（Ｓ１８）、送信側インターネットファクシミリ装置１へ返信する（Ｓ１６、Ｔ３４乃至Ｔ４６）などして印刷に失敗した旨等を送信側インターネットファクシミリ装置１へ通知する。
【００４７】
以下、第２の実施の形態に係るインターネットファクシミリ通信方法及び該通信方法を実施するインターネットファクシミリ装置について説明する。
【００４８】
第２の実施の形態に係る送信側インターネットファクシミリ装置１Ｃ及び受信側インターネットファクシミリ装置１Ｄは、例えば、図２に示したネットワーク環境Ａに設置されて使用される。すなわち、第１の実施の形態で説明したネットワーク環境Ａにおいて、第２の実施の形態に係る送信側インターネットファクシミリ装置１Ｃは、前記送信側インターネットファクシミリ装置１の代わりに設置され、また、第２のの実施の形態に係る受信側インターネットファクシミリ装置１Ｄは、前記受信側インターネットファクシミリ装置１Ａの代わりに設置されている。
【００４９】
前記送信側インターネットファクシミリ装置１Ｃ及び前記受信側インターネットファクシミリ装置１Ｄは、図１に示す第１の実施の形態に係る送信側インターネットファクシミリ装置１と同じハードウエア構成を有する。また、前記送信側インターネットファクシミリ装置１Ｃも、前記送信側インターネットファクシミリ装置１と同様に前記データテーブル２２をＲＡＭ３に記憶している。
【００５０】
以下、送信側インターネットファクシミリ装置１Ｃが複数の原稿を送信する場合の動作、及びこれを受信する受信側インターネットファクシミリ装置１Ｄの動作について、フローチャート及びシーケンス図に基づいて説明する。ここで、図８に示すフローチャートに基づき送信側インターネットファクシミリ装置１Ｃの動作をについて、図１０に示すフローチャートに基づき受信側インターネットファクシミリ装置１Ｄの動作について、図９に示すシーケンス図に基づき、これら送信側インターネットファクシミリ装置１Ｃと受信側インターネットファクシミリ装置１Ｄの間でなされるＳＭＴＰセッションについて説明する。なお、フローチャートに基づき説明する各種動作は、各々のＲＯＭ４に記憶されている制御プログラム等に基づいてＣＰＵ２の発行する命令に従って行われる。
【００５１】
送信側インターネットファクシミリ装置１Ｃが行う動作は、図３に示した第１の実施の形態に係る送信側インターネットファクシミリ装置１の動作において、前記Ｓ５における動作が異なり、その他（Ｓ１乃至Ｓ４、Ｓ６）の動作は同様に行われる。すなわち、送信側インターネットファクシミリ装置１Ｃは、前記Ｓ１乃至Ｓ４の動作を経て、送信先が、ＳＭＴＰサーバ機能を備えた前記受信側インターネットファクシミリ装置1Ｄであると前記データテーブル２２の属性情報に基づき判断すると、原稿を読み込んで、原稿の第１頁の画データを生成して電子メールの添付ファイルとして受信側インターネットファクシミリ装置１Ｄへ送信し（Ｓ２６、Ｔ１０５乃至Ｔ１１２）、ＳＭＴＰ応答「２５０」を受信した後に、送信側と受信側を入れ替えるＳＭＴＰコマンド「ＴＵＲＮ」を送信し（Ｓ２７、Ｔ１１４）、送信権が送信側インターネットファクシミリ装置１Ｃから受信側インターネットファクシミリ装置１Ｄへ移る。なお、このように送信権を交替させるＳＭＴＰコマンドは、「ＴＵＲＮ」のほか、ＳＭＴＰコマンド「ＥＴＲＮ」でもよく、また、「ＴＵＲＮ」コマンドと同じ役割を果たすＳＭＴＰコマンドを定義して使用してもよい。
【００５２】
一方、受信側インターネットファクシミリ装置１Ｄは、前記Ｓ２６において送信された第１頁の画データが添付された電子メールを受信して（Ｓ４１）、ただちに、この受信した電子メールの画データについての印刷ジョブを発生させる（Ｓ４２）。そして、送信側インターネットファクシミリ装置１Ｃから前記したＳＭＴＰコマンド「ＴＵＲＮ」を受信すると（Ｓ４３、Ｔ１１４）、受信した画データの処理結果の内容を記述した電子メールを生成し（Ｓ４４）、前記インターネットファクシミリ装置１Ｃへ返信し（Ｓ４５、Ｔ１１９乃至Ｔ１２６）、さらに、ＳＭＴＰコマンド「ＴＵＲＮ」を送信側インターネットファクシミリ装置１Ｃへ送信する（Ｓ４６、Ｔ１２８）。
【００５３】
その後、送信側インターネットファクシミリ装置１ＣからＳＭＴＰコマンド「ＱＵＩＴ」を受信した場合は動作を終了し、受信しない場合は、ＳＭＴＰコマンド「ＱＵＩＴ」を受信するまで前記Ｓ４１乃至Ｓ４７の動作を繰り返す。つまり、送信側インターネットファクシミリ装置１Ｃが全頁の画データを送信するまで、電子メールを受信する毎に電子メールに添付された画データの印刷ジョブを順次発生させ、受信した画データの印刷処理を行う。
【００５４】
送信側インターネットファクシミリ装置１Ｃが、前記受信側インターネットファクシミリ装置１Ｄから画データの処理結果が記述された電子メールを受信すると（Ｓ２８）、受信した電子メールの本文等に記述された内容を記録部９にて印刷し、或いはその内容をディスプレイ１０ａ等に表示する（Ｓ２９）。
【００５５】
送信側インターネットファクシミリ装置１Ｃは、前記Ｓ４６において受信側インターネットファクシミリ装置１Ｄから送信されたＳＭＴＰコマンド「ＴＵＲＮ」を受信すると（Ｓ３０）、未送信の頁が残っているか否かを判断し（Ｓ３１）、残っている場合は、全ての電子メールを送信するまで前記Ｓ２６乃至Ｓ３１の動作を繰り返し、前記Ｓ３１において未送信の頁がないと判断されたときに、前記したＳＭＴＰコマンド「ＱＵＩＴ」を送信してＴＣＰ切断を行う（Ｓ３２、Ｔ１４７）。
【００５６】
以下、第３の実施の形態に係るインターネットファクシミリ通信方法及び該通信方法を実施するインターネットファクシミリ装置について説明する。
【００５７】
第３の実施の形態に係る送信側インターネットファクシミリ装置１Ｅ及び受信側インターネットファクシミリ装置１Ｆは、例えば、図２に示したネットワーク環境Ａに設置されて使用される。すなわち、第１の実施の形態で説明したネットワーク環境Ａにおいて、第３の実施の形態に係る送信側インターネットファクシミリ装置１Ｅは、前記送信側インターネットファクシミリ装置１の代わりに設置され、また、第３のの実施の形態に係る受信側インターネットファクシミリ装置１Ｆは、前記受信側インターネットファクシミリ装置１Ａの代わりに設置されている。
【００５８】
前記送信側インターネットファクシミリ装置１Ｅ及び前記受信側インターネットファクシミリ装置１Ｆは、図１に示す第１の実施の形態に係る送信側インターネットファクシミリ装置１と同じハードウエア構成を有する。また、前記送信側インターネットファクシミリ装置１Ｅも、前記送信側インターネットファクシミリ装置１と同様に前記データテーブル２２をＲＡＭ３に記憶している。
【００５９】
以下、送信側インターネットファクシミリ装置１Ｅが複数の原稿を送信する場合、及びこれを受信側インターネットファクシミリ装置１Ｆが受信する場合の動作について、フローチャート及びシーケンス図に基づいて説明する。ここで、図１１に示すフローチャートに基づき、送信側インターネットファクシミリ装置１Ｅの動作について、図１２に示すフローチャートに基づき受信側インターネットファクシミリ装置１Ｆの動作について、図１３に示すシーケンス図に基づき、これら送信側インターネットファクシミリ装置１Ｅと受信側インターネットファクシミリ装置１Ｆの間でなされるＳＭＴＰセッションについて説明する。なお、フローチャートに基づき説明する各種動作は、各々のＲＯＭ４に記憶されている制御プログラム等に基づいてＣＰＵ２の発行する命令に従って行われる。
【００６０】
送信側インターネットファクシミリ装置１Ｅが行う動作は、図３に示した第１の実施の形態に係るインターネットファクシミリ装置１の動作において、前記Ｓ５の後に所定の動作が加わり、その他（Ｓ１乃至Ｓ６）の動作は同様に行われる。すなわち、送信側インターネットファクシミリ装置１Ｅは、前記Ｓ１乃至Ｓ４の動作を経て、送信先がＳＭＴＰサーバ機能を備えた前記受信側インターネットファクシミリ装置1Ｆであると前記データテーブル２２の属性情報に基づき判断すると、原稿の頁毎に画データを生成しながら各頁毎に１の電子メールの添付ファイルとして順次送信し、全頁について送信した（Ｓ５、Ｔ２０１乃至Ｔ２３１）後に、ＳＭＴＰコマンド「ＴＵＲＮ」を送信して（Ｓ５１、Ｔ２３２）、送信側インターネットファクシミリ装置１Ｅの送信権を受信側インターネットファクシミリ装置１Ｆへ移行させる。
【００６１】
一方、受信側インターネットファクシミリ装置１Ｆは、送信側インターネットファクシミリ装置１Ｅから全頁の電子メールを全て受信し（Ｓ６１）、前記Ｓ５１において送信側インターネットファクシミリ装置１から送信されたＳＭＴＰコマンド「ＴＵＲＮ」を受信すると（Ｓ６２、Ｔ２３２）、受信した画データの処理結果の内容を記述した電子メールを生成し（Ｓ６３）、送信側インターネットファクシミリ装置１Ｅへ電子メールにて返信し（Ｓ６４、Ｔ２３７乃至Ｔ２４４）、最後にＳＭＴＰコマンド「ＱＵＩＴ」を送信して（Ｓ６５、Ｔ２４６）、ＴＣＰ切断を行う。
【００６２】
送信側インターネットファクシミリ装置１Ｅは、前記Ｓ６４において受信側インターネットファクシミリ装置１Ｆから画データの受信処理結果が記述された電子メールを受信すると（Ｓ５２、Ｔ２３５乃至Ｔ２４４）、受信した電子メールの本文等に記述された内容を記録部９にて印刷し、或いはその内容をディスプレイ１０ａ等に表示する（Ｓ５３）。
【００６６】
【発明の効果】
請求項１記載のインターネットファクシミリ通信方法は、画データの送信先が、中継メールサーバを経由せずに電子メールを送信することができる送信先であり、且つ、メールサーバ機能を備えたインターネットファクシミリ装置であるか否かを判断し、送信先が中継メールサーバを経由せずに電子メールを送信することができる送信先であり且つメールサーバ機能を備えたインターネットファクシミリ装置である場合、複数頁からなる送信すべき原稿の画データを原稿の頁毎に生成し、原稿の頁毎に生成した各画データを夫々１の電子メールの添付ファイルとして原稿の全頁の画データを１の電子メール転送プロトコルのセッション内で送信し、送信先が中継メールサーバを経由せずに電子メールを送信することができる送信先でない場合又はメールサーバ機能を備えたインターネットファクシミリ装置でない場合、複数頁からなる送信すべき原稿の全頁を１の画像ファイルとして生成し、該画像ファイルを電子メールの添付ファイルとして送信するものであるので、前記した様々な送信先に対して適切な通信形式で電子メールの送信を行うことができる。
【００７２】
請求項２記載のインターネットファクシミリ装置によれば、請求項１記載のインターネットファクシミリ通信方法と同様の効果が得られる。
【図面の簡単な説明】
【図１】本発明の実施の形態に係る（送信側及び受信側）インターネットファクシミリ装置のハードウエア構成の一例を示したブロック図である。
【図２】本発明の実施の形態に係る（送信側及び受信側）インターネットファクシミリ装置が設置されたネットワーク環境の一例を示したブロック図である。
【図３】第１の実施の形態に係る（送信側）インターネットファクシミリ装置の動作を示したフローチャートである。
【図４】第１の実施の形態に係る（受信側）インターネットファクシミリ装置の動作を示したフローチャートである。
【図５】第１の実施の形態に係る（送信側）インターネットファクシミリ装置と（受信側）インターネットファクシミリ装置との間で行われる１のＳＭＴＰセッションを示したシーケンス図である。
【図６】本発明の実施の形態に係る（送信側）インターネットファクシミリ装置が保持するデータテーブルの一例を示した図である。
【図７】第１の実施の形態に係る（送信側）インターネットファクシミリ装置と（受信側）インターネットファクシミリ装置との間で行われるＳＭＴＰセッションを示したシーケンス図である。
【図８】第２の実施の形態に係る（送信側）インターネットファクシミリ装置の動作を示したフローチャートである。
【図９】第２の実施の形態に係る（送信側）インターネットファクシミリ装置と（受信側）インターネットファクシミリ装置とのＳＭＴＰセッションを示したシーケンス図である。
【図１０】第２の実施の形態に係る（受信側）インターネットファクシミリ装置の動作を示したフローチャートである。
【図１１】第３の実施の形態に係る（送信側）インターネットファクシミリ装置の動作を示したフローチャートである。
【図１２】第３の実施の形態に係る（受信側）インターネットファクシミリ装置の動作を示したフローチャートである。
【図１３】第３の実施の形態に係る（送信側）インターネットファクシミリ装置と（受信側）インターネットファクシミリ装置とのＳＭＴＰセッションを示したシーケンス図である。
【符号の説明】
１、１Ｃ、１Ｅ  （送信側）インターネットファクシミリ装置
１Ａ、１Ｄ、１Ｆ  （受信側）インターネットファクシミリ装置
２  ＣＰＵ
３  ＲＡＭ
４  ＲＯＭ
２２データテーブル
【図１】
0003636085.tif 000002
【図２】
0003636085.tif 000003
【図３】
0003636085.tif 000004
【図４】
0003636085.tif 000005
【図５】
0003636085.tif 000006
【図６】
0003636085.tif 000007
【図７】
0003636085.tif 000008
【図８】
0003636085.tif 000009
【図９】
0003636085.tif 000010
【図１０】
0003636085.tif 000011
【図１１】
0003636085.tif 000012
【図１２】
0003636085.tif 000013
【図１３】
0003636085.tif 000014